(57)【要約】【課題】コンベヤベルトの蛇行防止機能を有する構造簡単なリタンローラ取付用ブラケット装置を得ること。【解決手段】リタンローラ支軸（１６ａ）の軸受孔（１１）を有するリタンローラ取付用ブラケット（９）の板面に、リタンベルトの側縁に沿う方向に延出するサイドローラ取付アングル（１２）の一端部を接続し、当該アングル（１２）の他端部にサイドローラ（１３）を立設支持し、上記ブラケット（９）をベルトコンベヤのフレーム（１，１’）に固設し得るように構成する。【選択図】  図５
2005015142.tif 000002
【特許請求の範囲】
【請求項１】
リタンローラ支軸の軸受孔を有するリタンローラ取付用ブラケットの板面に、リタンベルトの側縁に沿う方向に延出するサイドローラ取付アングルの一端部を接続し、当該アングルの他端部にサイドローラを立設支持し、
上記ブラケットをベルトコンベヤのフレームに固設し得るように構成したものであることを特徴とするリタンローラ取付用ブラケット装置。
【請求項２】
上記ブラケットは、板状部材の下半部を逆Ｌ字状に屈曲して逆Ｌ字型屈曲面を形成すると共に該屈曲面に上記軸受孔を穿設し、
かつ上記板状部材の上部に上記フレームへの接続部を設け、
上記板状部材の板面に上記サイドローラ取付アングルの上記一端部を接続したものであることを特徴とする請求項１記載のリタンローラ取付用ブラケット装置。
【請求項３】
上記リタンローラ取付用ブラケットは、単一のリタンローラを支持するための単一の軸受孔を有するものであることを特徴とする請求項１又は２記載のリタンローラ取付用ブラケット装置。
【請求項４】
上記リタンローラ取付用ブラケット装置をベルトコンベヤのリタンベルトの両側に対向して配置固定すると共に、上記両ブラケットの各軸受孔にリタンローラ支軸を挿入して当該リタンローラを支持し、
上記両サイドローラをリタンベルトの両側縁に当接可能に構成したものであることを特徴とする請求項１〜３の何れかに記載のリタンローラ取付用ブラケット装置を用いたベルトコンベヤ。
【発明の詳細な説明】
【０００１】
【発明の属する技術分野】
本発明は、コンベヤベルトの蛇行防止機能を有するベルトコンベヤのリタンローラ取付用ブラケット装置及びそれを用いたベルトコンベヤに関する。
【０００２】
【従来の技術】
従来、コンベヤベルトの蛇行を防止する装置として、キャリア側に自動調心装置を設けたり、キャリア側或いはリタン側にＶ型ローラを使用することが行われている。
【０００３】
また、上記ベルトの蛇行を防止する装置として、互い違い或いはベルトを挟んで配置された一対のリタンローラを設けると共に、リタンベルトの側面に対向してサイドローラを立設し、上記一対のリタンローラ及びサイドローラでリタンベルトを案内することにより、コンベヤベルトの蛇行を防止する装置が提案されている（特許文献１）。
【０００４】
【特許文献１】
特開平１１−１６５８２４号公報
【０００５】
【発明が解決しようとする課題】
ところで、上記自動調心装置やＶ型ローラを用いる方法では、コンベヤ機長の長いベルトコンベヤにおいては効果があるが、コンベヤ機長の短いもの、或いは急傾斜のベルトコンベヤ等においては、蛇行防止の機能が十分に発揮できない。
【０００６】
また、特許文献１に記載の装置では、一対のリタンローラ及びリタンベルト側のサイドローラが開示されているが、これらリタンローラ及びサイドローラの設置に係る具体的構成が開示されていない。
【０００７】
本発明は、上記従来の技術に鑑みてなされたものであり、例えば機長の短いベルトコンベヤ等においても十分な蛇行防止効果を発揮し得て、かつ構造簡単なリタンローラ取付用ブラケット装置及びそれを用いたベルトコンベヤを提供することを目的とする。
【０００８】
【課題を解決するための手段】
本発明は上記目的を達成するために、
第１に、リタンローラ支軸の軸受孔を有するリタンローラ取付用ブラケットの板面に、リタンベルトの側縁に沿う方向に延出するサイドローラ取付アングルの一端部を接続し、当該アングルの他端部にサイドローラを立設支持し、上記ブラケットをベルトコンベヤのフレームに固設し得るように構成したものであることを特徴とするリタンローラ取付用ブラケット装置により構成される。
【０００９】
このように構成すると、リタンローラ取付用ブラケット（９）にサイドローラ（１３）が一体的に設けられているため、当該ブラケット装置（１８）をリタンベルト（１７）両側に配置固設することにより、簡単な構成でリタンベルト（１７）の蛇行防止の効果を得ることができる。
【００１０】
第２に、上記ブラケットは、板状部材の下半部を逆Ｌ字状に屈曲して逆Ｌ字型屈曲面を形成すると共に該屈曲面に上記軸受孔を穿設し、かつ上記板状部材の上部に上記フレームへの接続部を設け、上記板状部材の板面に上記サイドローラ取付アングルの上記一端部を接続したものであることを特徴とする上記第１記載のリタンローラ取付用ブラケット装置により構成される。
【００１１】
上記接続部はブラケット（９）の上部の水平面部（９ａ）に設けた取付孔（１０）及び締結具（１９）等により構成することができる。このように構成すると、簡単な構成でサイドローラ（１３）付きのリタンローラ取付用ブラケット装置（１８）を構成することができ、例えば短機長のベルトコンベヤ等にも容易に取り付けることができ、これにより短機長のベルトコンベヤ等においてもベルトの蛇行を効果的に抑制することができる。
【００１２】
第３に、上記リタンローラ取付用ブラケットは、単一のリタンローラを支持するための単一の軸受孔を有するものであることを特徴とする上記第１又は２記載のリタンローラ取付用ブラケット装置により構成される。
【００１３】
このように構成すると、リタンローラ取付用ブラケット（９）を小型に構成することができ、これにより例えば短機長のベルトコンベヤ等においても、リタンローラ（１６）の設置数に応じて当該ブラケット装置（１８）を容易に配設することができ、これにより短機長のベルトコンベヤ等においてもベルト蛇行防止の効果を十分に発揮し得る。
【００１４】
第４に、上記リタンローラ取付用ブラケット装置をベルトコンベヤのリタンベルトの両側に対向して配置固定すると共に、上記両ブラケットの各軸受孔にリタンローラ支軸を挿入して当該リタンローラを支持し、上記両サイドローラをリタンベルトの両側縁に当接可能に構成したものであることを特徴とする上記第１〜第３の何れかに記載のリタンローラ取付用ブラケット装置を用いたベルトコンベヤにより構成される。
【００１５】
このような構成によると、ブラケット（９，９’）に一体的にサイドローラ（１３，１３’）が設けられているため、例えば設置空間の限られた短機長のベルトコンベヤ等においても容易に設置することができ、簡単な構成でありながらコンベヤベルトの蛇行を効果的に防止することができる。
【００１６】
尚、本欄において本発明の構成に対応して実施形態中の構成部材の符号をかっこ書で示したが、これは対応関係を明確にするために便宜上付したものであって、本発明がこれらの部材に限定されるものではない。
【００１７】
【発明の実施の形態】
以下、本発明の実施の形態を詳細に説明する。
【００１８】
図１は本発明に係るリタンローラ取付用ブラケット装置を使用したベルトコンベヤの正面図である。同図において、１、１’はベルトコンベヤの左右一対に設けられた横断面「コ」字状のフレームであり、当該フレーム１，１’は支持脚２，２’により地面上に支持されている。
【００１９】
３はキャリアローラ支持用の横杆であり、当該フレーム１，１’間に水平に支持固定されている。この横杆３上の両端部には、一対のキャリアローラ支持アングル４，４’が立設固定され、同横杆３上の中央部には、一対の支持アングル５，５’が立設固定され、上記支持アングル４，５間、及び上記支持アングル４’、５’間に傾斜キャリアローラ６，６’を各々回転自在に支持し、上記支持アングル５，５’間に水平キャリアローラ７を回転自在に支持することで、キャリア側のベルトコンベヤが構成されている。８は上記各キャリアローラ６，６’，７上を走行するキャリアベルトである。
【００２０】
１８、１８’は、本発明に係るリタンローラ取付用ブラケット装置であり、当該装置は、リタンローラ取付用ブラケット９，９’と、該ブラケット９，９’に固定されたサイドローラ取付アングル１２，１２’により構成されている。
【００２１】
上記リタンローラ取付用ブラケット９，９’は、上記フレーム１，１’の各下面１ａ，１ａ’に吊設されており、これらブラケット９，９’は、図５に示すように、金属板等の板状部材の下半部を逆Ｌ字状に屈曲して、水平面部９ｃ、９ｃ’及び垂直面部９ｄ，９ｄ’よりなる逆Ｌ字型屈曲面を形成し、かつ上半部を逆Ｌ字状に屈曲して、垂直面部９ｂ，９ｂ’と上記フレーム１，１’への取付孔１０を有する水平面部９ａ，９ａ’により構成されている。
【００２２】
即ち、当該ブラケット９，９’は上部の上記水平面部９ａ，９ａ’側縁から鉛直下方に延びる垂直面部９ｂ，９ｂ’と、該垂直面部９ｂ、９ｂ’の下縁から水平方向（ベルトコンベヤの内側方向）に延びる水平面部９ｃ、９ｃ’と、該水平面部９ｃ、９ｃ’側縁から鉛直下方に延びる垂直面部９ｄ、９ｄ’により構成されており、下半部の上記水平面部９ｃ，９ｃ’とそれに続く上記垂直面部９ｄ、９ｄ’（逆Ｌ字型屈曲面）の中央部に、リタンローラ１６の支軸１６ａ，１６ａ’を受ける軸受孔１１，１１’が両面部９ｃ，９ｄ，９ｃ’、９ｄ’に亙って穿設されている。
【００２３】
そして、これらのブラケット９，９’は、その上部の水平面部９ａ，９ａ’を上記フレーム１，１’の下面１ａ，１ａ’に宛がい、ボルト及びナット等の締結具１９（図３）により上記下面１ａ，１ａ’に接続固定することにより、上記ベルトコンベヤのリタンベルト１７の両側に対向するように配置固定されるものである。
【００２４】
１６はリタンローラであり、上記ブラケット９，９’の各軸受孔１１，１１’にその両端の支軸１６ａ，１６ａ’を挿通支持することで、上記ブラケット９，９’間に水平に支持されている。尚、このリタンローラ１６は、内蔵するベアリング（図示せず）により、支軸１６ａ，１６ａ’に対して正逆回転自在に構成されている。１７は上記リタンローラ１６上を図２中矢印Ａ方向又は矢印Ｂ方向に走行するリタンベルトである。
【００２５】
１２、１２’は、横断面Ｌ字形状のサイドローラ取付アングルであり、その垂直面１２ａ，１２ａ’の一端部を以って上記リタンローラ取付用ブラケット９、９’における上記垂直面部９ｄ，９ｄ’の背面側（ベルトコンベヤの外側に向いた面）に各々溶接固定され、これにより当該アングル１２，１２’は上記ブラケット９，９’から上記リタンベルト１７の進行方向（矢印Ａ方向又は矢印Ｂ方向）に沿って、同ベルトの側縁１７ａ，１７ａ’に沿う方向に水平に延出するように固定されている。これらのサイドローラ取付アングル１２、１２’は、図２に示す実施形態では、リタンベルト１７が矢印Ａ方向に進行するとすれば、図中左側のアングル１２は、上記リタンローラ１６の中心線ａを基準として、その他端部がリタンベルト１７の進行方向（矢印Ａ方向）に対して反対側に延出するように固定され、右側のアングル１２’は、上記中心線ａを基準として、その他端部が上記リタンベルト１７の進行方向側に延出するように固定されている。
【００２６】
１３、１３’は上記サイドローラ取付アングル１２、１２’の各他端部（先端部）に立設固定されたサイドローラである。これらのサイドローラ１３、１３’は、上記各アングル１２，１２’の上記垂直面１２ａ，１２ａ’他端部に支持筒１４、１４’を溶接固定し、これらの支持筒１４，１４’内にサイドローラ１３の支軸１３ａ，１３ａ’を各々挿通し、上記支持筒１４，１４’下方に突出する上記支軸１３ａ，１３ａ’端部にナット１５を螺合することで、上記各支持筒１４，１４’に垂直に立設支持されている。
【００２７】
また、上記支持筒１４，１４’側面にはボルト挿入用の横孔１４ａ，１４ａ’が穿設されており（図５参照）、当該横孔１４ａ，１４ａ’からボルト２１を挿通して該ボルト２１端部を上記支軸１３ａ，１３ａ’に当接することにより、これら支軸１３ａ、１３ａ’を上記支持筒１４，１４’内において固定し得るように構成されている。
【００２８】
これらサイドローラ１３，１３’は、その内蔵するベアリング（図示せず）により、上記各支軸１３ａ，１３ａ’を中心軸として正逆回転自在に支持されており（図５中矢印参照）、その側面が各々上記リタンベルト１７の両側縁１７ａ，１７ａ’に対向する位置に配設されている。従って、上記サイドローラ１３，１３’の各側面に上記リタンベルト１７の側縁１７ａ，１７ａ’が各々当接することで、当該リタンベルト１７の蛇行を防止する機能を有するものである。
【００２９】
図２に示す実施形態では、上記リタンローラ１６の中心線ａを基準として、該リタンベルト１７の側縁１７ａ’においてはその進行方向（矢印Ａ方向）側又は進行方向（矢印Ｂ方向）とは反対側に上記サイドローラ１３’が位置しており、同リタンベルト１７の側縁１７ａにおいてはその進行方向（矢印Ａ方向）側とは反対側又は進行方向（矢印Ｂ方向）側に上記サイドローラ１３が位置するように構成されており、かつ上記サイドローラ１３，１３’は上記リタンローラ１６の中心点ｂに対して点対称位置となるように配設されている（図２参照）。
【００３０】
また、図６に示す実施形態では、上記リタンローラ１６の中心軸ａを基準として、リタンベルト１７の両側縁１７ａ，１７ａ’において、進行方向（矢印Ｂ方向）側、又は進行方向（矢印Ａ方向）とは反対側に上記サイドローラ１３，１３’が共に位置するように構成されている。即ち、上記両サイドローラ１３，１３’が中心軸ａを基準として、共に同じ側に位置するように取り付けることもできる。
【００３１】
このように、上記リタンローラ取付用ブラケット装置１８，１８’は、単一のリタンローラ１６を支持する単一の軸受孔１１、１１’のみを有するものであり、１個のリタンローラ１６に対応して１組のブラケット装置１８，１８’が用いられるものである。従って、リタンローラ１６の設置数に対応して当該ブラケット装置１８，１８’を設置することができ、短機長のベルトコンベヤであっても容易に当該ブラケット装置１８，１８’を設置し得て、そのサイドローラ１３，１３’によるベルト蛇行防止機能を発揮し得るものである。
【００３２】
尚、１２ｂ、１２ｂ’は上記サイドローラ取付アングル１２、１２’板面に設けられた切欠であり、当該アングル１２，１２’を上記ブラケット９，９’に取り付けた状態において、上記軸受孔１１，１１’部分を避けるために設けられたものである（図３参照）。また、２０は上記サイドローラ取付アングル１２，１２’の背面側に設けられた補強板である。
【００３３】
本発明は上述のように構成されており、次にその動作を説明する。
【００３４】
本発明に係るリタンローラ取付用ブラケット装置１８，１８’をベルトコンベヤに取り付けるには、１組のリタンローラ取付用ブラケット装置１８，１８’を用いて、これらのブラケット装置１８，１８’をリタンベルト１７の両側縁１７ａ，１７ａ’に各々対向配置し、その軸受孔１１，１１’が同一軸線上（中心軸ａ上）に位置するように、当該ブラケット９，９’の水平面部９ａ，９ａ’を各々ベルトコンベヤのフレーム１，１’の下面１ａ，１ａ’に宛がい、当該下面１ａ，１ａに締結具１９を以って固定する。その後、リタンローラ１６の支軸１６ａ，１６ａ’を、各々上記ブラケット９，９’の軸受孔１１，１１’に挿通支持すれば良い。
【００３５】
すると、上記ブラケット９，９’には、サイドローラ１３，１３’が一体的に支持されているので、図２の実施形態では、リタンベルト１７の側縁１７ａ’側には、該ベルト１７の進行方向（矢印Ａ方向）側にサイドローラ１３’が位置し、上記リタンベルト１７の側縁１７ａ側には、該ベルト１７の進行方向（矢印Ａ方向）とは反対側にサイドローラ１３が位置するように各サイドローラ１３を容易に配設することができる。
【００３６】
このような構成において、リタンベルト１７が例えば矢印Ａ方向に進行し、リタンベルト１７が蛇行した場合、リタンベルト１７の側縁１７ａがリタンローラ１６に達する以前にサイドローラ１３に接することにより、リタンベルト１７の矢印Ｃ方向の蛇行が修正され、サイドローラ１６に達した直後に、反対側のサイドローラ１３’に上記側縁１７ａ’が接することにより、リタンベルト１７の矢印Ｄ方向の蛇行が修正されるため、これらのサイドローラ１３，１３’によりリタンベルト１７の蛇行を効果的に防止することができる。上記リタンベルト１７が矢印Ｂ方向に進行する場合も同様であり、リタンベルト１７の進行方向に拘わらず、リタンベルト１７の蛇行を防止し得るものである。
【００３７】
また、図６の実施形態では、リタンベルトが例えば矢印Ａ方向又はＢ方向に進行し、リタンベルト１７が蛇行した場合、リタンベルト１７の側縁１７ａ又は１７ａ’がリタンローラ１６に達する以前に、又は側縁１７ａ，１７ａ’がリタンローラ１６を通過した直後に、サイドローラ１３又は１３’の何れかに接することにより、リタンベルト１７の矢印Ｃ方向又はＤ方向の蛇行が修正され、リタンベルト１７の進行方向に拘わらず、これらのサイドローラ１３，１３’によりリタンベルト１７の蛇行を効果的に防止することができる。
【００３８】
また、図２の実施形態では、サイドローラ１３は、リタンローラ１６の中心線ａ（即ち、リタンローラ取付用ブラケット９，９’の中心）を基準として、例えばリタンベルト１７の進行方向を矢印Ａ方向（矢印Ｂ方向）とすれば、後方側（前方側）に位置しており、サイドローラ１３’は、同じくコンベヤベルトの進行方向を矢印Ａ方向（矢印Ｂ方向）とすれば、前方側（後方側）に位置しており、これによりリタンローラ１６の直前及び直後においてリタンベルト１７の蛇行を修正し得るため、上記中心線ａ上にサイドローラが位置している場合と比較して、リタンベルト１７のサイドローラ１３，１３’への乗り上げをも効果的に防止することができる。
【００３９】
また、図６の実施形態では、リタンベルト１７の進行方向を矢印Ａ方向（矢印Ｂ方向）とすれば、サイドローラ１３，１３’は共に、リタンローラ１６の中心線ａ（即ち、リタンローラ取付用ブラケット９，９’の中心）を基準として後方側（前方側）に位置しており、何れもリタンローラ１６の直前（直後）においてリタンベルト１７の蛇行を修正し得るため、当該実施形態においても、上記中心線ａ上にサイドローラが位置している場合と比較して、リタンベルト１７のサイドローラ１３，１３’への乗り上げを効果的に防止し得る。
【００４０】
また、サイドローラ１３，１３’を図２又は図６に示すように配置することにより、リタンベルト１７の進行方向が何れであっても、当該サイドローラ１３，１３’によりベルト蛇行防止機能を同様に発揮し得る効果がある。
【００４１】
また、このようにリタン側においてリタンベルト１７の蛇行を抑制することにより、キャリア側において、例えばＶ型ローラ等による蛇行防止機能をより効果的に発揮させることができるとの効果をも奏するものである。
【００４２】
また、リタンローラ１６は、ベルトコンベヤの機長に沿って複数設けられるが、各リタンローラ１６の支持部に当該リタンローラ取付用ブラケット装置１８，１８’を設けることにより、短機長であっても各リタンローラ取付位置にサイドローラ１３，１３’を各々同時に配置することができ、これにより、例えば機長の短いベルトコンベヤ等であっても十分に蛇行防止機能を発揮することができるものである。
【００４３】
また、本発明のブラケット装置１８、１８’は、サイドローラ１３，１３’が一体的に設けられているため、当該ブラケット装置１８，１８’をリタン側に設けるだけでよく、当該ブラケット装置１８，１８’とは別に、サイドローラ取付装置を必要としないため、極めて簡単な構成でベルトの蛇行防止効果を得ることができるものである。
【００４４】
また、本発明のブラケット装置１８、１８’によると、リタンローラ取付用ブラケット９，９’にサイドローラ１３，１３’が一体的に設けられており、サイドローラ用の取付装置を別途設ける必要がないため、例えば機長の短いベルトコンベヤや、急傾斜のベルトコンベヤ等、リタン側にサイドローラを別途取り付ける空間的余裕のない場合においても、サイドローラを容易に設置することが可能となるものである。従って、当該ブラケット装置１８，１８’を設置することにより、短機長のベルトコンベヤや急傾斜のベルトコンベヤ等において、蛇行防止効果を十分に発揮し得るものである。
【００４５】
また、各ブラケット装置１８，１８’は、単一のリタンローラ１６に対応する単一の軸受孔１１，１１’のみを有し、単一のリタンローラ１６毎に対応して設けられるものであるから、ベルトコンベヤの機長に拘わらず各リタンローラの設置数に応じて容易に設置することができるという効果を奏するものである。
【００４６】
【発明の効果】
以上のように、本発明によると、リタンローラ取付用ブラケットにサイドローラが一体的に構成されているため、例えば機長の短いベルトコンベヤ等においてもサイドローラの設置を容易に行うことができるものである。
【００４７】
また、当該ブラケット装置は、例えば機長の短いベルトコンベヤ等においても、リタンローラ毎に配置することができるため、短機長のベルトコンベヤ等であっても蛇行防止効果を十分に発揮し得るものである。
【００４８】
また、本発明のブラケット装置は、構造が簡単であり、単一のリタンローラに対応して設置し得るものであるため、ベルトコンベヤの機長に拘わらず、各リタンローラの設置数に応じて容易に設置し得て、ベルトの蛇行防止の効果を得ることができるものである。
【図面の簡単な説明】
【図１】本発明に係るリタンローラ取付用ブラケット装置を用いたベルトコンベヤの正面図である。
【図２】同上ベルトコンベヤのリタンローラ側の平面図である。
【図３】同上ブラケット装置の側面図である。
【図４】（ａ）は同上ブラケット装置の正面図、（ｂ）は同上ブラケット装置のサイドローラを除いた正面図である。
【図５】同上ブラケット装置の分解斜視図である。
【図６】同上ベルトコンベヤのリタンローラ側の平面図である。
【符号の説明】
１’  フレーム
９，９’  リタンローラ取付用ブラケット
１１，１１’  軸受孔
１２，１２’  サイドローラ取付アングル
１３，１３’  サイドローラ
１６      リタンローラ
１６ａ，１６ａ’  支軸
１７  リタンベルト
１７ａ，１７ａ’  側縁
１８，１８’  リタンローラ取付用ブラケット装置
ａ  中心軸
ｂ  中心点
【図１】
2005015142.tif 000003
【図２】
2005015142.tif 000004
【図３】
2005015142.tif 000005
【図４】
2005015142.tif 000006
【図５】
2005015142.tif 000007
【図６】
2005015142.tif 000008